(57)【要約】【課題】常時更新される進捗情報をリアルタイムに一見して目視確認可能に表示する情報表示装置及び情報表示方法を提供する。【解決手段】予め設定した各種の予定情報１６，１８，２０，２２，２４…を登録する登録手段（サーバ端末１２、ハードディスク１４）と、登録手段に登録された各種の予定情報を表示する予定情報表示手段（予定情報表示部２８）と、複数の対象物４にそれぞれ付された対象物４を特定するための識別番号２を取得する取得手段３０と、取得手段により取得した識別番号と登録手段に登録された各種の予定情報とに所定の照合演算を施す照合演算手段３４と、照合演算手段により得られた結果を表示する結果情報表示手段（結果情報表示部４２、同期結果表示部４４）とを備えている。【選択図】    図１
2004164005.tif 000002
【特許請求の範囲】
【請求項１】
予め設定した各種の予定情報を登録する登録手段と、
前記登録手段に登録された各種の予定情報を表示する予定情報表示手段と、
複数の対象物にそれぞれ付された対象物を特定するための識別番号を取得する取得手段と、
前記取得手段により取得された識別番号と前記登録手段に登録された各種の予定情報とに所定の照合演算を施す照合演算手段と、
前記照合演算手段により得られた結果を表示する結果情報表示手段とを備えていることを特徴とする情報表示装置。
【請求項２】
前記取得手段は、前記対象物に所定の処理を順次施す複数の処理ステージ毎に配置されており、
前記照合演算手段は、各処理ステージの取得手段毎に取得した識別番号と前記各種の予定情報とに所定の照合演算を施すことを特徴とする請求項１に記載の情報表示装置。
【請求項３】
前記照合演算手段には、
前記識別番号を取得手段毎に記録する記録部と、
前記記録部に記録された取得手段毎の識別番号と前記登録手段に登録された各種の予定情報とを照合する照合部と、
前記照合部により得られた結果を前記結果情報表示手段に配信して表示させる配信表示部と、
が設けられていることを特徴とする請求項２に記載の情報表示装置。
【請求項４】
前記結果情報表示手段には、前記複数の処理ステージを介して対象物に所定の処理が順次施されている間、これに同期して前記照合演算手段を介して得られた結果を前記各種の予定情報に対応して表示する同期結果表示部が設けられていることを特徴とする請求項２又は３に記載の情報表示装置。
【請求項５】
予め設定した各種の予定情報を登録する登録工程と、
前記登録工程により登録された各種の予定情報を表示する予定情報表示工程と、
複数の対象物にそれぞれ付された対象物を特定するための識別番号を取得する取得工程と、
前記取得工程により取得した識別番号と前記登録工程により登録された各種の予定情報とに所定の照合演算を施す照合演算工程と、
前記照合演算工程により得られた結果を結果情報表示手段に表示する結果情報表示工程とを有することを特徴とする情報表示方法。
【請求項６】
前記取得工程は、前記対象物に所定の処理を順次施す複数の処理ステージ毎に実行され、前記照合演算工程では、各処理ステージにおける取得工程毎に取得した識別番号と前記各種の予定情報とに所定の照合演算を施すことを特徴とする請求項５に記載の情報表示方法。
【請求項７】
前記照合演算工程は、前記識別番号を取得工程毎に記録する記録プロセスと、前記記録プロセスにより記録された取得工程毎の識別番号と前記登録工程により登録された各種の予定情報とを照合する照合プロセスと、前記照合プロセスにより得られた結果を前記結果情報表示手段に配信して表示させる配信表示プロセスとを有することを特徴とする請求項６に記載の情報表示方法。
【請求項８】
前記結果情報表示手段には、前記複数の処理ステージを介して対象物に所定の処理が順次施されている間、これに同期して前記照合処理工程を介して得られた結果を前記各種の予定情報に対応して表示する同期結果表示部が設けられていることを特徴とする請求項５又は６に記載の情報表示方法。
【発明の詳細な説明】
【０００１】
【発明の属する技術分野】
本発明は、常時更新される情報をリアルタイムに表示することが可能な情報表示装置及び情報表示方法に関し、例えば生産ラインにおける進捗情報をリアルタイムに一見して目視確認することが可能な技術に関する。
【０００２】
【従来の技術】
従来、種々の情報表示技術を適用したシステムが知られており、その一例として図３（ａ），（ｂ）に示すような生産システムは、生産システム管理サーバ１００と生産情報表示板１０２とから構築されており、生産情報表示板１０２には、予定情報（月間の生産予定台数）を表示する予定情報表示部１０４と、結果情報（月間の生産結果台数）を表示する結果情報表示部１０６とが設けられている。生産システム管理サーバ１００は、サーバ端末（例えばパソコン）１０８とハードディスク１１０とプリンタ１１２とを備えており、サーバ端末１０８からハードディスク１１０に各種の予定情報を登録することができるようになっている。ここでは各種の予定情報の一例として、出荷先１１４や出荷予定日１１６、出荷する機種名１１８や数量（例えば出荷台数）１２０等の情報を想定する。なお、ハードディスク１１０に登録された各種の予定情報１１４，１１６，１１８，１２０は、サーバ端末１０８からプリンタ１１２を介してプリントアウトすることができる。
【０００３】
このような生産システムにおける情報表示プロセスとしては、まず、各生産ラインの製造工程毎に配属された各担当者Ｙ１，Ｙ２…に対して各種の予定情報１１４，１１６，１１８，１２０が提供される。この提供方法の一例として、ハードディスク１１０に登録された各種の予定情報１１４，１１６，１１８，１２０は、例えば図３（ｃ）に示すような指示書１２２や出荷リスト１２４の形式でプリントアウトされて各担当者Ｙ１，Ｙ２…に配布される。また他の例として、各種の予定情報１１４，１１６，１１８，１２０は、生産システム管理サーバ１００から各担当者Ｙ１，Ｙ２…のクライアント端末１２６ａ，１２６ｂ…に送信される。次に、各担当者Ｙ１，Ｙ２…は、各種の予定情報１１４，１１６，１１８，１２０に沿って製造工程を管理し、その管理データを集計する。その後、集計結果に基づいて月間の生産結果台数（３００台）が割り出され、その生産結果台数は、専属の担当者Ｙｎによって生産情報表示板１０２の結果情報表示部１０６に入力表示される。これにより、予定情報表示部１０４に表示されている予定情報（月間の生産予定台数：５００台）と、結果情報（月間の生産結果台数：３００台）とを比較することができる。
【０００４】
【発明が解決しようとする課題】
しかしながら、上述したような従来の生産システムに適用した情報表示技術において、生産情報表示板１０２の結果情報表示部１０６には、現時点における結果情報（月間の生産結果台数：３００台）のみが表示されるため、かかる生産結果台数の内訳を把握することができなかった。例えば、どのような機種名の製品が何台生産（出荷）されたのか、或いは、生産予定が１００台に設定された製品のうち何台分が３００台のなかに含まれているのか、出荷予定日までにあと何台生産すればよいのか、現在生産ラインの各製造工程にはどのような機種名の製品が何台流れているのか等、生産ラインにおいて常時更新される進捗情報をリアルタイムに一見して目視確認することができなかった。
本発明は、このような問題を解決するために成されており、その目的は、常時更新される進捗情報をリアルタイムに一見して目視確認可能に表示する情報表示装置及び情報表示方法を提供することにある。
【０００５】
【課題を解決するための手段】
このような目的を達成するために、本発明の情報表示装置は、予め設定した各種の予定情報１６，１８，２０，２２，２４…を登録する登録手段（サーバ端末１２、ハードディスク１４）と、前記登録手段に登録された各種の予定情報を表示する予定情報表示手段（予定情報表示部２８）と、複数の対象物４にそれぞれ付された対象物４を特定するための識別番号２を取得する取得手段３０と、前記取得手段により取得された識別番号と前記登録手段に登録された各種の予定情報とに所定の照合演算を施す照合演算手段３４と、前記照合演算手段により得られた結果を表示する結果情報表示手段（結果情報表示部４２、同期結果表示部４４）とを備えている。
この発明によれば、照合演算手段により得られた結果を結果表示手段に表示することによって、識別番号に対する各種の予定情報が一見して目視確認可能となる。
【０００６】
また、前記取得手段は、前記対象物に所定の処理を順次施す複数の処理ステージＫ１〜Ｋ１０，Ｓ１，Ｓ２毎に配置されており、前記照合演算手段は、各処理ステージの取得手段毎に取得した識別番号と前記各種の予定情報とに所定の照合演算を施す。
この発明によれば、各処理ステージを介して処理が施された対象物毎の結果を結果表示手段に表示することによって、識別番号に対する各種の予定情報が一見して目視確認可能となる。
【０００７】
更に、前記照合演算手段には、前記識別番号を取得手段毎に記録する記録部３６と、前記記録部に記録された取得手段毎の識別番号と前記登録手段に登録された各種の予定情報とを照合する照合部３８と、前記照合部により得られた結果を前記結果情報表示手段に配信して表示させる配信表示部４０とが設けられている。
この発明によれば、記録部から照合部を介して得られた対象物毎の結果を結果表示手段に表示することによって、識別番号に対する各種の予定情報が一見して目視確認可能となる。
【０００８】
また、前記結果情報表示手段には、前記複数の処理ステージを介して対象物に所定の処理が順次施されている間、これに同期して前記照合演算手段を介して得られた結果を前記各種の予定情報に対応して表示する同期結果表示部４４が設けられている。
この発明によれば、処理ステージを介して対象物に所定の処理が順次施されている間に常時更新される結果を同期表示することによって、識別番号に対する各種の予定情報がリアルタイムに一見して目視確認可能となる。
【０００９】
【発明の実施の形態】
以下、本発明の一実施の形態に係る情報表示装置について、図１を参照して説明する。本実施の形態において、情報表示装置は、識別番号２が付された対象物４に所定の処理を施す生産システムに適用されており、生産システムは、対象物４に所定の処理を順次施す複数の処理ステージＫ１〜Ｋ１０，Ｓ１，Ｓ２から成る生産ライン６と、生産ライン６を管理する生産システム管理サーバ８と、生産システム管理サーバ８から出力される生産情報を表示する生産情報表示板１０とから構成されている。
【００１０】
生産システムとしては、例えばアミューズメント機器（パチンコやスロットマシン等）やゲーム機器などを想定することができる。この場合、対象物４とは、例えばアミューズメント機器やゲーム機器等の構成体が想定され、かかる構成体（対象物４）の種類別に識別番号２を付すことによって、各機器の種類を識別することが可能となる。識別番号２には、対象物４の種類を特定して判別可能な識別番号情報が入力されている。この場合、識別番号情報を入力可能な例えば無線タグやＩＣチップ等を利用可能であるが、後述する取得手段により識別番号２から識別番号情報を取得できるようなものであれば、その種類や記録方法は任意に選択することができる。なお、本実施の形態において、複数の処理ステージＫ１〜Ｋ１０，Ｓ１，Ｓ２は、処理ステージＫ１〜Ｋ１０が対象物４に所定の処理（加工処理や組み立て処理等）を施すためのステージであり、処理ステージＳ１は全ての処理が完了した対象物４の出荷待ちステージ、そして、処理ステージＳ２は対象物４の出荷ステージとする。
【００１１】
このような生産システムにおいて、本実施の形態の情報表示装置は、予め設定した各種の予定情報を登録する登録手段と、登録手段に登録された各種の予定情報を表示する予定情報表示手段と、複数の対象物４にそれぞれ付された対象物４を特定するための識別番号２を取得する取得手段と、取得手段により取得した識別番号２と登録手段に登録された各種の予定情報とに所定の照合演算を施す照合演算手段と、照合演算手段により得られた結果を表示する結果情報表示手段とを備えている。
【００１２】
登録手段は、生産システム管理サーバ８に、サーバ端末（例えばパソコン）１２とハードディスク１４とを備えて構成されており、サーバ端末１２からハードディスク１４に各種の予定情報を登録することができるようになっている。ここでは各種の予定情報の一例として、対象物４の種類を特定して判別可能な識別番号情報１６、対象物４の出荷先１８や出荷予定日２０、出荷する対象物４の機種名２２や数量（例えば出荷台数）２４等の情報を想定する。なお、ハードディスク１４に登録された各種の予定情報１６，１８，２０，２２，２４…は、サーバ端末１２からプリンタ２６を介してプリントアウトすることできる。
【００１３】
予定情報表示手段は、生産情報表示板１０に、予定情報表示部２８を備えて構成されており、予定情報表示部２８には、登録手段（ハードディスク１４）に登録された各種の予定情報１６，１８，２０，２２，２４…に基づいて、所望の予定情報（例えば生産システムにおける月間の生産予定台数）を表示することができるようになっている。
【００１４】
取得手段３０は、生産ライン６の複数の処理ステージＫ１〜Ｋ１０，Ｓ１，Ｓ２毎に配置されており、複数の対象物４が各処理ステージＫ１〜Ｋ１０，Ｓ１，Ｓ２を介して搬送された際に、各処理ステージＫ１〜Ｋ１０，Ｓ１，Ｓ２毎に対象物４の識別番号２（識別番号情報）を取得できるようになっている。取得手段３０としては、識別番号２に接触させて識別番号情報を取得する接触取得タイプと、識別番号２に対して非接触状態で識別番号情報を取得する非接触取得タイプとを適用することが可能である。接触取得タイプの場合には、例えば磁気テープやバーコード等から成る識別番号２に対して読取ヘッドを接触させて識別番号情報を取得する。非接触取得タイプの場合には、例えば無線タグやＩＣチップ等から成る識別番号２から出力される識別番号情報を受信ヘッドにより非接触で取得する。この場合、生産ライン６上での対処物６の搬送効率を考慮すると非接触取得タイプの取得手段３０を採用することが好ましい。なお、取得手段３０による識別番号情報の取得タイミングは、任意に設定可能であり、例えば連続的或いは断続的に設定することができる。要は各処理ステージＫ１〜Ｋ１０，Ｓ１，Ｓ２毎に対象物４の識別番号２（識別番号情報）を取得できるような取得タイミングであれば良い。
【００１５】
これら各々の取得手段３０毎に取得された識別番号２の識別番号情報は、既存のＬＡＮケーブル３２を介して生産システム管理サーバ８のサーバ端末１２に送られるようになっている。また、各取得手段３０には、それぞれ異なる認識番号（ＩＰアドレス）が割りふられており、各処理ステージＫ１〜Ｋ１０，Ｓ１，Ｓ２に対する取得手段３０の配置が分かるようになっている。そして、各取得手段３０には、取得した識別番号２の識別番号情報と共に、その取得手段３０のＩＰアドレスを同時に出力するための出力回路系が構築されている。この出力回路系は現在知られている既存の回路を利用することが可能である。また、出力回路系としては、各情報をＬＡＮケーブル３２を介して生産システム管理サーバ８出力する有線ＬＡＮタイプと、各情報を所定の搬送波に変換して生産システム管理サーバ８に出力する無線ＬＡＮタイプがある。無線ＬＡＮタイプの場合には、生産ライン６に基地局（制御モジュール）３１を配設し、この基地局３１を介してサーバ端末１２に情報を配信すれば良い。この場合、サーバ端末１２には受信回路を構築する必要がある。
【００１６】
照合演算手段３４は、サーバ端末１２に構築されており、ＬＡＮケーブル３２を介して送られた取得手段３０毎の識別番号２（識別番号情報）と、ハードディスク１４に登録されている各種の予定情報１６，１８，２０，２２，２４…とに所定の照合演算を施す。具体的には、照合演算手段３４には、識別番号２の識別番号情報を取得手段３０毎に記録する記録部３６と、記録部３６に記録された取得手段３０毎の識別番号情報とハードディスク１４に登録された各種の予定情報１６，１８，２０，２２，２４…とを照合する照合部３８と、照合部３８により得られた結果を結果情報表示手段に配信して表示させる配信表示部４０とが設けられている。
【００１７】
記録部３６には、複数の処理ステージＫ１〜Ｋ１０，Ｓ１，Ｓ２毎に配置された取得手段３０からの識別番号情報が記録されると同時に、その識別番号情報を取得した取得手段３０の認識番号（ＩＰアドレス）も記録される。例えば対象物４が生産ライン６の処理ステージＫ１に搬送され処理が施されているとき、かかる処理ステージＫ１に配置された取得手段３０からは、その対象物４の識別番号２（識別番号情報）と共に取得手段３０のＩＰアドレスが出力され記録部３６に記録される。このようなプロセスは、対象物４が各処理ステージＫ１〜Ｋ１０，Ｓ１，Ｓ２に搬送される毎に行われ、記録部３６には、生産ライン６（処理ステージＫ１〜Ｋ１０，Ｓ１，Ｓ２）を流れる全ての対象物４の識別番号情報が取得手段３０のＩＰアドレスと共に記録されていく。
【００１８】
照合部３８は、記録部３６に記録された識別番号情報に基づいてハードディスク１４に登録された各種の予定情報１６，１８，２０，２２，２４…とを照合し、かかる識別番号情報に該当する対象物４の出荷先１８や出荷予定日２０、出荷する対象物４の機種名２２や数量（例えば出荷台数）２４等を特定する。そして、配信表示部４０は、照合部３８により得られた結果を結果情報表示手段に配信して表示させる。ここで、照合部３８により得られた結果とは、記録部３６に記録された識別番号情報に基づいて特定した対象物４の出荷先１８や出荷予定日２０、出荷する対象物４の機種名２２や数量（例えば出荷台数）２４等の各情報である。
【００１９】
結果情報表示手段には、結果情報（例えば生産システムにおける月間の生産結果台数）を表示する結果情報表示部４２と共に、複数の処理ステージＫ１〜Ｋ１０，Ｓ１，Ｓ２を介して対象物４に所定の処理が順次施されている間、これに同期して照合演算手段３４を介して得られた結果を各種の予定情報１６，１８，２０，２２，２４…に対応して表示する同期結果表示部４４が設けられている。この場合、同期結果表示部４４には、結果情報表示部４２に表示された結果情報（生産結果台数）の内訳が表示される。例えば、どのような機種名の対象物４が何台出荷されたのか、或いは、生産予定が１００台に設定された対象物４のうち何台分が３００台のなかに含まれているのか、出荷予定日までにあと何台生産すればよいのか、生産ライン６の各処理ステージＫ１〜Ｋ１０，Ｓ１，Ｓ２には現在どのような機種名の対象物４が何台流れているのか等、生産ライン６において常時更新される進捗情報をリアルタイムに一見して目視確認することができるようになっている。本実施の形態において、結果情報表示手段（結果情報表示部４２、同期結果表示部４４）は、生産情報表示板１０に配置されている。
【００２０】
次に、上述したような生産システムに適用した情報表示装置の動作方法について説明する。
まず、サーバ端末１２からハードディスク１４に各種の予定情報１６，１８，２０，２２，２４…を登録し、その一部の情報を予定情報表示部２８に表示する。図１の例では、予定情報表示部２８に生産ライン６の月間の生産予定台数（５００台）が表示されている。また、生産ライン６（各処理ステージＫ１〜Ｋ１０，Ｓ１，Ｓ２）を介して処理される複数の対象物４に識別番号２を付する。識別番号２としては無線タグを利用して、この無線タグに個々の対象物４の種類を特定して判別可能な識別番号情報を入力する。この後、無線タグ（識別番号２）が付された複数の対象物２が生産ライン６の各処理ステージＫ１〜Ｋ１０，Ｓ１，Ｓ２を介して搬送された際に、各処理ステージＫ１〜Ｋ１０，Ｓ１，Ｓ２毎に配置された取得手段３０によって対象物４の識別番号２（識別番号情報）が取得される。取得手段３０毎に取得された識別番号２（識別番号情報）は、ＬＡＮケーブル３２或いは基地局３１を介して生産システム管理サーバ８のサーバ端末１２に送られ、その取得手段３０のＩＰアドレスと共に記録部３６に記録される。照合部３８は、記録部３６に記録された識別番号情報に基づいてハードディスク１４に登録された各種の予定情報１６，１８，２０，２２，２４…とを照合し、かかる識別番号情報に該当する対象物４の出荷先１８や出荷予定日２０、出荷する対象物４の機種名２２や数量（例えば出荷台数）２４等を特定する。このとき配信表示部４０は、照合部３８を介して得られた結果を結果情報表示手段（結果情報表示部４２、同期結果表示部４４）に配信して表示させる。
【００２１】
本実施の形態において、結果情報表示部４２には、現時点での出荷完了台数（２５０台）を表示するように制御しており、同期結果表示部４４には、対象物４の出荷先、出荷予定日、機種名、数量（生産台数）、進捗状況を表示するように制御している。このような結果情報表示手段によれば、１０／２０現在において機種名Ｂ，Ｃの対象物４は処理ステージＳ２（出荷ステージ）を経て出荷完了、機種名Ａの対象物４は１５０台が処理ステージＳ１（出荷待ちステージ）にあり、残りの４０台の機種名Ａの対象物４は処理ステージＫ１０で処理中、機種名Ｄの対象物４は処理ステージＫ２で処理中、そして、機種名Ｅの対象物４は処理されていない等、常時更新される進捗情報をリアルタイムに一見して目視確認することができる。この場合、例えば出荷待ち状態にある１５０台の機種名Ａの対象物４のうち、２３台が処理ステージＳ２（出荷ステージ）を経て出荷完了となったとき、同期結果表示部４４の出荷完了台数が更新されて２７３台と表示される。
【００２２】
また、予定情報表示部２８、結果情報表示部４２、同期結果表示部４４を併設したことによって、生産ライン６の月間の生産予定台数（５００台）に対する相対評価（例えば、月末までに後何台出荷すれば良いのか等）も可能となる。これによって、出荷予定日が迫っている機種名の対象物４を優先的に生産ライン６に流す等の措置を講ずることができるため、生産ライン６の効率を高めることが可能となる。なお、図１に示した予定情報表示部２８、結果情報表示部４２、同期結果表示部４４の表示内容は一例であり、情報表示装置の使用目的や使用環境、対象物４や生産ライン６の種類などに応じて任意の表示形式に設定することができる。例えば、予定情報表示部２８に優先的に出荷する機種名と数量を表示したり、或いは、結果情報表示部４２に出荷先からの返品台数を表示したりすることができる。
【００２３】
以上、本実施の形態によれば、現時点における生産ライン６上の各対象物２の処理状況や出荷状況等、常時更新される進捗情報をリアルタイムに一見して目視確認することができると共に、生産ライン６の効率を高めることが可能となる。更に、対象物４全ての処理状態をオンラインで表示できるため、従来のような指示書や出荷リストが不要となりペーパーレスを達成することが可能となる。
【００２４】
なお、上述した生産システムにおける情報表示装置及び方法は、同一場所内におけるローカルエリアネットワーク（ＬＡＮ）を想定して構築されているが、例えば複数の生産ライン６が管理場所から離れた他の場所（地方、海外）にあるような場合には、図２に示すようにインターネット４６を経由して管理することも可能である。この場合には、各生産ライン６の出力側及び生産システム管理サーバ８の入力側に夫々ルータ４８，５０を介在させれば良い。このような構成によれば、遠隔地に配置された複数の生産ライン６を１つの生産システム管理サーバ８で一括集中管理することができるため、地方や海外の生産ライン６の管理を迅速且つ効率的に行うことができる。
【００２５】
また、本発明の情報表示装置及び方法は、上述したような生産ラインだけで無く、例えば車検等の検査ラインの進捗状況を確認する場合、診療施設等での健康診断の進捗状況を確認する場合にも利用することができる。この場合、車検等の検査ラインでは、この検査ラインに配置された複数の検査エリアにそれぞれ取得手段３０を配設し、検査ラインを流れる各々の車に識別番号２（車を特定するための識別番号）を付せば良い。また、診療施設等での健康診断では、診断項目毎に分けられた各部屋（例えば、血液検査室や身長体重測定室など）にそれぞれ取得手段３０を配設し、これら各部屋を巡って検査を受ける各々の被験者に識別番号２（被験者を特定するための識別番号）を付せば良い。
【００２６】
【発明の効果】
本発明によれば、各処理ステージにおける対象物から識別番号を取得手段毎に取得し、その識別番号と各種の予定情報とに所定の照合演算を施して得られた結果を表示することによって、常時更新される進捗情報をリアルタイムに一見して目視確認可能に表示する情報表示技術を実現することができる。
【図面の簡単な説明】
【図１】（ａ）は、本発明の一実施の形態に係る情報表示装置を適用した生産システムの構成を示す図、（ｂ）は、本発明に係る登録手段の構成を示す図。
【図２】本発明の情報表示装置の他の適用例を示す構成図。
【図３】（ａ）は、従来の情報表示装置を適用した生産システムの構成を示す図、（ｂ）は、従来の技術に係る登録手段の構成を示す図、（ｃ）は、従来の情報表示方法に適用した指示書の例を示す図、（ｄ）は、従来の情報表示方法に適用した出荷リストの例を示す図。
【符号の説明】
４  対象物
１２  サーバ端末
１４  ハードディスク
１６，１８，２０，２２，２４…  各種の予定情報
２８  予定情報表示部
３０  取得手段
３４  照合演算手段
４２  結果情報表示部
４４  同期結果表示部
【図１】
2004164005.tif 000003
【図２】
2004164005.tif 000004
【図３】
2004164005.tif 000005